(57)【要約】【課題】遊戯客が貸し出しを受けて保有している遊戯媒体を遊戯客から適宜預かって管理するとともに、その預託を受けた遊戯媒体の数量データに基いて遊戯媒体を貸し出すことができる新たな遊戯システム等の提供を目的の提供を目的とする。【解決手段】本願発明の遊戯システム９は、遊戯媒体預託管理支援装置１、遊戯媒体貸出装置２等を備えている。遊戯媒体預託管理支援装置１は、預託データベース等のデータベース１２を備え、遊戯客の認証を行なった後、預託データベースからその遊戯客の預託数量デ−タを抽出し、抽出した預託数量デ−タを記録した貸出用記録媒体１０１を発行する。遊戯媒体貸出装置２は、貸出用記録媒体１０１に記録した預託数量デ−タに基いて遊戯媒体の貸し出すことにより、遊戯客がパチンコ遊戯等の遊戯を行なうことができるようにする。【選択図】図１８
2007144025.tif 000002
【特許請求の範囲】
【請求項１】
遊戯の用に供する遊戯媒体であって遊戯客から預託されたものの管理を支援する遊戯媒体預託管理支援装置と、遊戯客に遊戯媒体の貸し出しを行なう遊戯媒体貸出装置とを備え、
上記遊戯媒体預託管理支援装置は、
遊戯客の認証を行なうための認証情報と遊戯客識別情報とを関連付けて登録した遊戯客認証データベースと、
遊戯客から預託された遊戯媒体の数量を示す預託数量データと遊戯客識別情報とを関連付けて登録した預託データベースと、
を備え、
遊戯客から得た認証情報と上記遊戯客認証データベースとに基いて遊戯客の認証を行ない、上記遊戯客認証データベースに登録された遊戯客であると判定した場合に、上記遊戯媒体貸出装置による遊戯媒体の貸し出しに際して用いる貸出用記録媒体に、遊戯媒体貸出装置の使用許可を示す使用許可情報を記録し、
上記遊戯媒体貸出装置は、上記貸出用記録媒体に記録された使用許可情報を読み取り、その読み取った使用許可情報に基いて遊戯媒体貸出装置の使用を許可するとともに、預託データベースに記録された預託数量データに基いて遊戯媒体の貸し出しを行なうことを特徴とする遊戯システム。
【請求項２】
請求項１に記載の遊戯システムにおいて、
上記遊戯媒体預託管理支援装置は、上記判定をした場合に、上記預託データベースから、その遊戯客に対応する預託数量データを抽出し、その抽出した預託数量データを貸出用記録媒体に記録し、
上記遊戯媒体貸出装置は、上記貸出用記録媒体に記録された預託数量データに基いて遊戯媒体を遊戯客に貸し出すとともに、貸し出し後の貸出用記録媒体における預託数量データの記録を更新することを特徴とする遊戯システム。
【請求項３】
請求項２に記載の遊戯システムにおいて、
上記遊戯媒体貸出装置は、遊戯媒体を貸し出す際の貸出レートを指定できるように構成されており、
貸出レートの指定を示すレート指定情報を遊戯客から得、その得たレート指定情報に基いて貸出レートを設定し、その設定した貸出レートに基いて貸し出し後の預託数量データを算出して貸出用記録媒体における預託数量データの記録を更新することを特徴とする遊戯システム。
【請求項４】
請求項３に記載の遊戯システムにおいて、
上記遊戯媒体貸出装置は、上記設定した貸出レートを、上記貸出用記録媒体に記録するものであることを特徴とする遊戯システム。
【請求項５】
請求項２〜４の何れかに記載の遊戯システムにおいて、
上記遊戯システムは、遊戯媒体預託管理支援装置と通信可能な貸出用記録媒体リーダーを、更に備え、
上記遊戯媒体預託管理支援装置は、上記貸出用記録媒体に、遊戯客識別情報を直接、又は間接的に記録し、
上記貸出用記録媒体リーダーは、上記貸出用記録媒体に直接又は間接的に記録された上記遊戯客識別情報、及び上記預託数量データを読み取り、その読み取ったデータを遊戯媒体預託管理支援装置に送信し、
上記遊戯媒体預託管理支援装置は、上記貸出用記録媒体リーダーからのデータの受信により遊戯客識別情報及び預託数量データを得、その得た遊戯客識別情報及び預託数量データに基いて、預託データベースの預託数量データの記録を更新するものであることを特徴とする遊戯システム。
【請求項６】
遊戯の用に供する遊戯媒体であって遊戯客から預託されたものの管理を支援する遊戯媒体預託管理支援装置であって、
遊戯客の認証を行なうための認証情報と遊戯客識別情報とを関連付けて登録した遊戯客認証データベースと、
遊戯客から預託された遊戯媒体の数量を示す預託数量データと遊戯客識別情報とを関連付けて登録した預託データベースと、
を備え、
遊戯客から得た認証情報と遊戯客認証データベースとに基いて遊戯客の認証を行ない、遊戯客認証データベースに登録された遊戯客であると判定した場合に、遊戯媒体の貸し出しを行なう遊戯媒体貸出装置による遊戯媒体の貸し出しに際して用いる貸出用記録媒体に、遊戯媒体貸出装置の使用許可を示す使用許可情報を記録することを特徴とする遊戯媒体預託管理支援装置。
【請求項７】
遊戯客の認証を行なうための認証情報と遊戯客識別情報とを関連付けて登録した遊戯客認証データベースと、遊戯客の認証を行なうための認証情報と遊戯客識別情報とを関連付けて登録した遊戯客認証データベースと、を備えたコンピュータを、遊戯の用に供する遊戯媒体であって遊戯客から預託されたものの管理を支援する遊戯媒体預託管理支援装置として機能させるプログラムであって、
コンピュータに、遊戯客から得た認証情報と遊戯客認証データベースとに基いて遊戯客の認証を行なわせ、遊戯客認証データベースに登録された遊戯客であると判定した場合に、遊戯媒体の貸し出しを行なう遊戯媒体貸出装置による遊戯媒体の貸し出しに際して用いる貸出用記録媒体に、遊戯媒体貸出装置の使用許可を示す使用許可情報を記録させる処理を行なわせることを特徴とするプログラム。
【請求項８】
遊戯客の認証を行なうための認証情報と遊戯客識別情報とを関連付けて登録した遊戯客認証データベースと、遊戯客の認証を行なうための認証情報と遊戯客識別情報とを関連付けて登録した遊戯客認証データベースと、を備えたコンピュータを、遊戯の用に供する遊戯媒体であって遊戯客から預託されたものの管理を支援する遊戯媒体預託管理支援装置として機能させるプログラムを記録した記録媒体であって、
コンピュータに、遊戯客から得た認証情報と遊戯客認証データベースとに基いて遊戯客の認証を行なわせ、遊戯客認証データベースに登録された遊戯客であると判定した場合に、遊戯媒体の貸し出しを行なう遊戯媒体貸出装置による遊戯媒体の貸し出しに際して用いる貸出用記録媒体に、遊戯媒体貸出装置の使用許可を示す使用許可情報を記録させる処理を行なわせることを特徴とするプログラムを記録した記録媒体。
【請求項９】
遊戯の用に供する遊戯媒体であって遊戯客から預託されたものの管理を行なう遊戯媒体預託管理方法であって、遊戯客の認証を行なうための認証情報と遊戯客識別情報とを関連付けて登録した遊戯客認証データベースと、遊戯客の認証を行なうための認証情報と遊戯客識別情報とを関連付けて登録した遊戯客認証データベースと、を備えたコンピュータを準備し、
コンピュータに、遊戯客から得た認証情報と遊戯客認証データベースとに基いて遊戯客の認証を行なわせ、遊戯客認証データベースに登録された遊戯客であると判定した場合に、遊戯媒体の貸し出しを行なう遊戯媒体貸出装置による遊戯媒体の貸し出しに際して用いる貸出用記録媒体に、遊戯媒体貸出装置の使用許可を示す使用許可情報を記録させる処理を行なわせることを特徴とする遊戯媒体預託管理方法。
【発明の詳細な説明】
【技術分野】
【０００１】
本発明は、遊戯システム等に関するものである。
【背景技術】
【０００２】
従来から、例えばパチンコ台を使用した遊戯システム、或いはスロットマシーンを使用した遊戯システムが広く知られている。パチンコ台を用いた遊戯システムは、通常、次のようにして行なわれている。遊戯客は、まず、遊戯媒体としてのパチンコ玉を、予め決められた一定の貸出レートで貸し出すように設定された遊戯媒体貸出装置によって貸し出しを受け、その貸し出しを受けたパチンコ玉を用いてパチンコ台で遊ぶ。そして、例えば遊戯を終了する際に、遊戯客がパチンコ台からパチンコ玉を出して保有している場合には，遊戯客は、遊戯媒体計数装置によりパチンコ玉を計数して貸出レートに応じた額の景品と交換する。このパチンコ玉と景品と交換は、当日に行なわなければならず、後日交換するようなことはできない。
【発明の開示】
【発明が解決しようとする課題】
【０００３】
しかし、例えば遊戯客が現に保有しているパチンコ玉の数量が所望の景品と交換するのに少ないような場合でも、そのパチンコ玉の全部を、当日に交換しなければならない。そのため、パチンコ玉と景品との当日交換を望まないが仕方なく交換している遊戯客も多く、パチンコ遊戯離れの一因になっている。
【０００４】
又、上述のように遊戯客が保有しているパチンコ玉は当日に景品と交換しなわなければならないため、後日、遊戯する場合は、必ず現金を持って行き、あらためて現金でパチンコ玉の貸し出しを受けなければならない。そのため、持ち金に余裕のないような場合等には、パチンコ遊戯をし難い。また、持ち金に余裕のある場合でも、同じ遊戯店に行くメリットが少ないため、一度来てパチンコ遊戯をした遊戯客でも、再度来店してもらえるとは限らない。その結果、遊戯店は、遊戯客の囲い込みが難しいものになっている。
【０００５】
本願発明は、以上のような実情に鑑みて提案されたもので、遊戯客が貸し出しを受けて保有している遊戯媒体を遊戯客から適宜預かって管理するとともに、その預託を受けた遊戯媒体の数量データに基いて遊戯媒体を貸し出すことができる新たな遊戯システム等の提供を目的とする。
【課題を解決するための手段】
【０００６】
本願の請求項１記載の発明は、遊戯の用に供する遊戯媒体であって遊戯客から預託されたものの管理を支援する遊戯媒体預託管理支援装置と、遊戯客に遊戯媒体の貸し出しを行なう遊戯媒体貸出装置とを備え、上記遊戯媒体預託管理支援装置は、遊戯客の認証を行なうための認証情報と遊戯客識別情報とを関連付けて登録した遊戯客認証データベースと、遊戯客から預託された遊戯媒体の数量を示す預託数量データと遊戯客識別情報とを関連付けて登録した預託データベースと、を備え、遊戯客から得た認証情報と上記遊戯客認証データベースとに基いて遊戯客の認証を行ない、上記遊戯客認証データベースに登録された遊戯客であると判定した場合に、上記遊戯媒体貸出装置による遊戯媒体の貸し出しに際して用いる貸出用記録媒体に、遊戯媒体貸出装置の使用許可を示す使用許可情報を記録し、上記遊戯媒体貸出装置は、上記貸出用記録媒体に記録された使用許可情報を読み取り、その読み取った使用許可情報に基いて遊戯媒体貸出装置の使用を許可するとともに、預託データベースに記録された預託数量データに基いて遊戯媒体の貸し出しを行なうことを特徴とする遊戯システムである。
【０００７】
本願の請求項２記載の発明は、請求項１に記載の遊戯システムにおいて、上記遊戯媒体預託管理支援装置は、上記判定をした場合に、上記預託データベースから、その遊戯客に対応する預託数量データを抽出し、その抽出した預託数量データを貸出用記録媒体に記録し、上記遊戯媒体貸出装置は、上記貸出用記録媒体に記録された預託数量データに基いて遊戯媒体を遊戯客に貸し出すとともに、貸し出し後の貸出用記録媒体における預託数量データの記録を更新することを特徴とする遊戯システムである。
【０００８】
本願の請求項３記載の発明は、請求項２に記載の遊戯システムにおいて、上記遊戯媒体貸出装置は、遊戯媒体を貸し出す際の貸出レートを指定できるように構成されており、貸出レートの指定を示すレート指定情報を遊戯客から得、その得たレート指定情報に基いて貸出レートを設定し、その設定した貸出レートに基いて貸し出し後の預託数量データを算出して貸出用記録媒体における預託数量データの記録を更新することを特徴とする遊戯システムである。
【０００９】
本願の請求項４記載の発明は、請求項３に記載の遊戯システムにおいて、上記遊戯媒体貸出装置は、上記設定した貸出レートを、上記貸出用記録媒体に記録するものであることを特徴とする遊戯システムである。
【００１０】
本願の請求項５記載の発明は、請求項２〜４の何れかに記載の遊戯システムにおいて、上記遊戯システムは、遊戯媒体預託管理支援装置と通信可能な貸出用記録媒体リーダーを、更に備え、上記遊戯媒体預託管理支援装置は、上記貸出用記録媒体に、遊戯客識別情報を直接、又は間接的に記録し、上記貸出用記録媒体リーダーは、上記貸出用記録媒体に直接又は間接的に記録された上記遊戯客識別情報、及び上記預託数量データを読み取り、その読み取ったデータを遊戯媒体預託管理支援装置に送信し、上記遊戯媒体預託管理支援装置は、上記貸出用記録媒体リーダーからのデータの受信により遊戯客識別情報及び預託数量データを得、その得た遊戯客識別情報及び預託数量データに基いて、預託データベースの預託数量データの記録を更新するものであることを特徴とする遊戯システムである。
【００１１】
本願の請求項６記載の発明は、遊戯の用に供する遊戯媒体であって遊戯客から預託されたものの管理を支援する遊戯媒体預託管理支援装置であって、遊戯客の認証を行なうための認証情報と遊戯客識別情報とを関連付けて登録した遊戯客認証データベースと、遊戯客から預託された遊戯媒体の数量を示す預託数量データと遊戯客識別情報とを関連付けて登録した預託データベースと、を備え、遊戯客から得た認証情報と遊戯客認証データベースとに基いて遊戯客の認証を行ない、遊戯客認証データベースに登録された遊戯客であると判定した場合に、遊戯媒体の貸し出しを行なう遊戯媒体貸出装置による遊戯媒体の貸し出しに際して用いる貸出用記録媒体に、遊戯媒体貸出装置の使用許可を示す使用許可情報を記録することを特徴とする遊戯媒体預託管理支援装置である。
【００１２】
本願の請求項７記載の発明は、遊戯客の認証を行なうための認証情報と遊戯客識別情報とを関連付けて登録した遊戯客認証データベースと、遊戯客の認証を行なうための認証情報と遊戯客識別情報とを関連付けて登録した遊戯客認証データベースと、を備えたコンピュータを、遊戯の用に供する遊戯媒体であって遊戯客から預託されたものの管理を支援する遊戯媒体預託管理支援装置として機能させるプログラムであって、コンピュータに、遊戯客から得た認証情報と遊戯客認証データベースとに基いて遊戯客の認証を行なわせ、遊戯客認証データベースに登録された遊戯客であると判定した場合に、遊戯媒体の貸し出しを行なう遊戯媒体貸出装置による遊戯媒体の貸し出しに際して用いる貸出用記録媒体に、遊戯媒体貸出装置の使用許可を示す使用許可情報を記録させる処理を行なわせることを特徴とするプログラムである。
【００１３】
本願の請求項８記載の発明は、遊戯客の認証を行なうための認証情報と遊戯客識別情報とを関連付けて登録した遊戯客認証データベースと、遊戯客の認証を行なうための認証情報と遊戯客識別情報とを関連付けて登録した遊戯客認証データベースと、を備えたコンピュータを、遊戯の用に供する遊戯媒体であって遊戯客から預託されたものの管理を支援する遊戯媒体預託管理支援装置として機能させるプログラムを記録した記録媒体であって、コンピュータに、遊戯客から得た認証情報と遊戯客認証データベースとに基いて遊戯客の認証を行なわせ、遊戯客認証データベースに登録された遊戯客であると判定した場合に、遊戯媒体の貸し出しを行なう遊戯媒体貸出装置による遊戯媒体の貸し出しに際して用いる貸出用記録媒体に、遊戯媒体貸出装置の使用許可を示す使用許可情報を記録させる処理を行なわせることを特徴とするプログラムを記録した記録媒体である。
【００１４】
本願の請求項９記載の発明は、遊戯の用に供する遊戯媒体であって遊戯客から預託されたものの管理を行なう遊戯媒体預託管理方法であって、遊戯客の認証を行なうための認証情報と遊戯客識別情報とを関連付けて登録した遊戯客認証データベースと、遊戯客の認証を行なうための認証情報と遊戯客識別情報とを関連付けて登録した遊戯客認証データベースと、を備えたコンピュータを準備し、コンピュータに、遊戯客から得た認証情報と遊戯客認証データベースとに基いて遊戯客の認証を行なわせ、遊戯客認証データベースに登録された遊戯客であると判定した場合に、遊戯媒体の貸し出しを行なう遊戯媒体貸出装置による遊戯媒体の貸し出しに際して用いる貸出用記録媒体に、遊戯媒体貸出装置の使用許可を示す使用許可情報を記録させる処理を行なわせることを特徴とする遊戯媒体預託管理方法である。
【発明の効果】
【００１５】
本願の請求項１に記載の発明においては、遊戯媒体預託管理支援装置は、預託データベースに、遊戯客から預託された遊戯媒体の数量を示す預託数量データを遊戯客識別情報と関連付けて登録しておき、遊戯客の認証を行ない、遊戯客認証データベースに登録された遊戯客であると判定した場合に、遊戯媒体貸出装置による遊戯媒体の貸し出しに際して用いる貸出用記録媒体に、遊戯媒体貸出装置の使用許可を示す使用許可情報を記録する。そして、遊戯媒体貸出装置は、上記貸出用記録媒体に記録された使用許可情報を読み取り、その読み取った使用許可情報に基いて遊戯媒体貸出装置の使用を許可するとともに、預託データベースに記録された預託数量データに基いて遊戯媒体の貸し出しを行なう。
【００１６】
こうすることにより、遊戯客は、例えば遊戯媒体としてのパチンコ玉を預託して預託データベースに登録しておけば、次回の来店に際し、その遊戯客認証データベースに登録した預託数量データに基いて遊戯媒体貸出装置によりパチンコ玉の貸し出しを受けることができる。従って、遊戯客は、現金を全く持ち合わせていない場合でも、パチンコ玉を預託した遊戯店に行けば、遊戯客認証データベースに登録した預託数量データに基いてパチンコ玉の貸し出しを受けてパチンコ遊戯をすることができる。よって、遊戯客は、手軽にパチンコ遊戯をすることができる。一方、遊戯店は、パチンコ玉を預託した遊戯客に対し、他の遊戯店に行く気を起こさせないで、常に遊戯客を当該遊戯店に引きつけ、当該遊戯店に行くように仕向けることができ、いわゆる遊戯客の囲い込みを行なうことができる。
【００１７】
又、遊戯客認証データベースに登録した預託数量データに基いて貸し出しを行なう際には、遊戯客の認証を行なうため、預託した遊戯客に対して確実に貸し出しを行なうことができ、預託した遊戯客とは無関係の者に貸し出しを行なうことを防止できる。
【００１８】
また、客遊戯媒体貸出装置による遊戯媒体の貸し出しに際して用いる貸出用記録媒体に、遊戯媒体貸出装置の使用許可を示す使用許可情報を記録する。これにより、遊戯媒体貸出装置は、この貸出用記録媒体に記録された使用許可情報を読み取り、その読み取った使用許可情報に基いて遊戯媒体貸出装置の使用を許可できる。従って、遊戯媒体貸出装置は、遊戯客の認証を行なわなくても、遊戯客認証データベースに登録された遊戯客に対して使用を許可できる。よって、貸出用記録媒体に記録された情報を読み取り可能な遊戯媒体貸出装置であれば使用でき、遊戯媒体貸出装置を簡素化できる。
【００１９】
本願の請求項２に記載の発明においては、遊戯媒体預託管理支援装置は、遊戯客認証データベースに登録された遊戯客であると判定をした場合に、預託データベースから、その遊戯客に対応する預託数量データを抽出し、その抽出した預託数量データを貸出用記録媒体に記録する。又、遊戯媒体貸出装置は、貸出用記録媒体に記録された預託数量データに基いて遊戯媒体を遊戯客に貸し出すとともに、貸し出し後の貸出用記録媒体における預託数量データの記録を更新するものとする。
【００２０】
従って、遊戯媒体貸出装置により遊戯媒体を貸し出した後の預託数量データを、貸出用記録媒体に記録しておくことができる。よって、例えば貸し出した後における貸出用記録媒体の預託数量データに基いて預託データベースの預託数量データの記録を更新でき、預託数量の管理を容易なものにできる。
【００２１】
本願の請求項３に記載の発明においては、遊戯媒体貸出装置は、遊戯媒体を貸し出す際の貸出レートを指定できるように構成されており、貸出レートの指定を示すレート指定情報を遊戯客から得、その得たレート指定情報に基いて貸出レートを設定する。
【００２２】
こうすることにより、例えば賭博性を低くして遊戯すること自体を楽しみたいと思う遊戯客は遊戯媒体の貸出レートを低く設定でき、一方、賭博性も高めたいと思う遊戯客は遊戯媒体の貸出レートを高く設定でき、遊戯客のニーズに合わせたものにできる。これにより、例えば従来のパチンコ遊戯では賭博性が高いとして敬遠していた遊戯客もパチンコ遊戯を楽しむことができ、遊戯客の客層を拡大できる。
【００２３】
又、その際、遊戯媒体貸出装置は、その設定した貸出レートに基いて貸し出し後の預託数量データを算出して貸出用記録媒体における預託数量データの記録を更新する。
【００２４】
従って、貸出レートが遊戯客の指定によって変った場合でも、貸し出した後の預託数量は、常に、遊戯媒体貸出装置により貸出用記録媒体に記録される。よって、例えば貸し出した後における貸出用記録媒体の預託数量データに基いて預託データベースの預託数量データの記録を更新でき、預託数量の管理を容易なものにできる。
【００２５】
本願の請求項４に記載の発明においては、遊戯媒体貸出装置は、設定した貸出レートを、貸出用記録媒体に記録する。
【００２６】
こうすることにより、例えば遊戯装置としてのパチンコ台で出した遊戯媒体としてのパチンコ玉を遊戯媒体計数装置で計数する際、遊戯媒体計数装置が貸出用記録媒体に記録された貸出レートを読み取れば良く、これにより、遊戯媒体計数装置が、その読み取った貸出レートに基いて、例えば予め設定した標準レートに対応した数量に換算できる。従って、遊戯媒体計数装置で計数するたびに遊戯媒体計数装置に貸出レートを人が入力するような作業を不要にでき、計数工程を容易なものにできる。
【００２７】
本願の請求項５に記載の発明においては、遊戯媒体預託管理支援装置と通信可能な貸出用記録媒体リーダーによって、貸出用記録媒体に直接又は間接的に記録された遊戯客識別情報、及び貸出用記録媒体に記録された預託数量データを読み取り、その読み取ったデータを遊戯媒体預託管理支援装置に送信する。そして、遊戯媒体預託管理支援装置は、その受信により遊戯客識別情報及び預託数量データを得、その得た遊戯客識別情報及び預託数量データに基いて、預託データベースの預託数量データの記録を更新する。
【００２８】
こうすることにより、預託データベースの預託数量データの記録を、遊戯後の最新の預託数量データに更新できる。従って、遊戯後も、貸出用記録媒体に記録された預託数量データに基いて更新でき、預託数量の管理を容易なものにできる。
【００２９】
又、遊戯客は、例えば預託数量データに基いてパチンコ玉の貸し出しを受けて遊戯した後、パチンコ玉を保有している場合には、その全部又は一部を、景品と交換しないで預託することもでき、後日の遊戯のために預託数量を増やすこともできる。
【００３０】
本願の請求項６、請求項７、請求項８、及び請求項９に記載の発明においては、遊戯客認証データベースに登録した預託数量データに基いて貸し出しを行なう際には、遊戯客の認証を行なうため、預託した遊戯客に対して確実に貸し出しを行なうことができ、預託した遊戯客とは無関係の者に貸し出しを行なうことを防止できる。
【００３１】
また、客遊戯媒体貸出装置による遊戯媒体の貸し出しに際して用いる貸出用記録媒体に、遊戯媒体貸出装置の使用許可を示す使用許可情報を記録する。これにより、例えば遊戯媒体貸出装置は、この貸出用記録媒体に記録された使用許可情報を読み取り、その読み取った使用許可情報に基いて遊戯媒体貸出装置の使用を許可できる。従って、遊戯媒体貸出装置は、遊戯客の認証を行なわなくても、遊戯客認証データベースに登録された遊戯客に対して使用を許可できる。よって、貸出用記録媒体に記録された情報を読み取り可能な遊戯媒体貸出装置であれば使用でき、遊戯媒体貸出装置を簡素化できる。
【発明を実施するための最良の形態】
【００３２】
図１８は、本願発明の遊戯システム全体の一実施の形態の概略図である。本実施形態の遊戯システム９は、遊戯媒体預託管理支援装置１と、遊戯媒体貸出装置２と、遊戯媒体計数装置３と、貸出用記録媒体リーダー・ライター４と、店外持出時読取用の貸出用記録媒体リーダー５とを備えている。以下、これらの遊戯システム９に用いる各装置について説明する。
【００３３】
図１は、本願発明の遊戯システム９に用いる遊戯媒体預託管理支援装置１、貸出用記録媒体リーダー・ライター４、及び店外持出時読取用の貸出用記録媒体リーダー５のブロック図、図２は、本願発明の遊戯システム９に用いる遊戯媒体貸出装置２の一実施の形態のブロック図、図３は、本願発明の遊戯システム９に用いる遊戯媒体計数装置３の一実施の形態のブロック図である。
【００３４】
遊戯媒体預託管理支援装置１は、この実施形態では、遊戯の用に供する遊戯媒体としてのパチンコ玉であって遊戯客から預託されたパチンコ玉の管理を支援する装置である。この遊戯媒体預託管理支援装置１は、図１に示すように認証情報入力部１１と、データベース１２と、遊戯客認証部１４と、預託数量抽出部１５と、貸出用記録媒体発行部１６と、認証情報登録処理部１７と、預託数量登録処理部１８と、管理用パスワード登録処理部１９と、通信制御部１３と、認証用記録媒体発行部１０とを備えている。
【００３５】
認証情報入力部１１は、遊戯客を認証するための認証情報を入力する。この実施形態では、認証情報入力部１１は、生体特徴読取処理部１１aと、認証用記録媒体リーダー１１ｂとを備えている。
【００３６】
本実施形態では、遊戯客が真の遊戯客であるか否かの本人認証としてバイオメトリックス認証を採用しており、生体特徴読取処理部１１aは、バイオメトリックス認証に際して用いる生体特徴部のデータを読み取って入力する。又、この実施形態では、生体特徴部として指の指紋のデ−タが用いられる。
【００３７】
尚、生体の特徴部として指紋を採用するものに限らず、例えば生体特徴部として網膜、静脈、或いは、声紋などを採用するようにしても良い。そして、生体特徴読取処理部１１ａは、採用した網膜、静脈、或いは、声紋などデータを読み取って入力できるものであれば良く、適宜変更できる。
【００３８】
又、生体特徴読取処理部１１ａは、読み取った生体特徴部のデータを数値化して認証情報を生成する。
【００３９】
認証用記録媒体リーダー１１ｂは、認証用記録媒体１００に記録された認証情報であって暗号化された認証情報等の記録を読み取って入力する。
【００４０】
この認証用記録媒体１００は、図１１に示すように、遊戯客を識別する遊戯客識別情報としての遊戯客ＩＤと、認証用記録媒体を識別する認証用記録媒体識別情報としての認証用記録媒体ＩＤとが表示されている。又、生体特徴部のデータを数値化し暗号化した認証情報が、上記遊戯客ＩＤ及び認証用記録媒体ＩＤと共に、磁気により記録されている。そして、認証用記録媒体リーダー１１ｂは、これらの遊戯客ＩＤ、認証用記録媒体ＩＤ、及び認証情報の記録を読み取って入力する。
【００４１】
データベース１２は、この実施形態では、遊戯客認証データベース１２ａと、預託データベース１２ｂと、貸出用記録媒体管理データベース１２ｃとを備えている。
【００４２】
遊戯客認証データベース１２ａは、遊戯客を認証するための認証情報を遊戯客ＩＤと関連付けて登録している。この実施形態では、遊戯客認証データベース１２ａは、図１５に示すように遊戯客ＩＤと、生体特徴部のデータを数値化して暗号化した認証情報と、登録年月日を示す情報と、被害届出を示す被害届出情報と、認証用記録媒体ＩＤとを、相互に関連付けて登録している。
【００４３】
又、この実施形態では、遊戯客認証データベース１２ａには、認証用パスワードと、遊戯客ＩＤ及び認証用記録媒体ＩＤとが関連付けて登録されている。この認証用パスワードは、認証用記録媒体１００を紛失した場合等に認証用記録媒体１００を再発行する際に認証情報として用いるものである。従って、この実施形態での認証用パスワードは、通常の遊戯客の本人認証に際しては使用されない。
【００４４】
預託データベース１２ｂは、図１６に示すように、遊戯客ＩＤと、預託数量データと、ポイントの数を示すポイント数データとを、相互に関連づけて登録している。
【００４５】
預託数量データは、遊戯客が遊戯店から貸し出しを受けて保有しているパチンコ玉であって遊戯客から遊戯店側に預託されたパチンコ玉の個数を示すデータである。この実施形態では、預託数量データは、百の位以下の端数を切り捨てた基本預託数量データと、その端数データとから構成されている。又、基本預託数量データと端数データは、パチンコ玉1個当たり４円で貸し出す貸出レート（標準レート）の場合の個数を記録している。
【００４６】
尚、この実施形態で、預託数量データを、基本預託数量データと端数データとから構成しているのは、後述のように遊戯媒体貸出装置２によるパチンコ玉の貸し出しが1回あたり１００個であるため、標準レートで1回あたりの貸し出しの数量に満たないものを分離する等のためである。ただし、預託数量データは、基本預託数量データと端数データとから構成されるものに限らず、例えば基本預託数量データと端数データとを合わせて一纏めにした個数から構成されるものでも良い。
【００４７】
ポイントは、遊戯店がその数に応じて遊戯客にサービスを還元するためのものである。例えば現金で玉貸しを受けた場合に、その現金額に応じてポイントが付与される。
【００４８】
貸出用記録媒体管理データベース１２ｃは、図１７に示すように、遊戯客ＩＤと、後述の貸出用記録媒体１０１を特定するための貸出用記録媒体特定情報としての管理用パスワードと、貸出用記録媒体１０１を発行した年月及び日時の情報とを相互に関連付けて登録している。
【００４９】
この実施形態では、管理用パスワードは、貸出用記録媒体１０１が発行されるたびに生成されて効力を生じ、遊戯客から遊戯店側に返却されこの遊戯媒体預託管理支援装置１により所定の無効処置がとられることによって効力が消滅する使い捨てパスワードから構成されている。
【００５０】
遊戯客認証部１４は、生体特徴読取処理部１１aによって遊戯客から得た認証情報と、遊戯客認証データベース１２ａとに基いて、遊戯客についてバイオメトリックス認証を行なう。又、遊戯客認証部１４は、認証用記録媒体リーダー１１ｂによって遊戯客の認証用記録媒体から得た遊戯客ＩＤ、認証用記録媒体ＩＤ、及び認証情報と、遊戯客認証データベース１２ａとに基いて、認証用記録媒体１００が遊戯客のものであることの確認の処理を行なう。
【００５１】
預託数量抽出部１５は、認証した遊戯客の遊戯客ＩＤに対応する基本預託数量データ及び端数データの預託数量データと、ポイント数データとを預託データベース１２ｂから抽出する処理を行なう。
【００５２】
貸出用記録媒体発行部１６は、貸出用記録媒体１０１を発行する。この貸出用記録媒体１０１は、遊戯媒体貸出装置２によるパチンコ玉の貸し出しに際して用いるためのものである。この実施形態における貸出用記録媒体１０１は、図１２に示すように、カード状のものからなり、ＩＣタグから構成されたデータ記録保持部１１１と、データ表示部１１２とを備えている。
【００５３】
又、貸出用記録媒体発行部１６は、管理用パスワード生成部１６ａと、貸出用記録媒体記録処理部１６ｂとを備えている。
【００５４】
管理用パスワード生成部１６ａは、貸出用記録媒体１０１の発行に際して貸出用記録媒体の管理用パスワードを生成する処理を行なう。
【００５５】
貸出用記録媒体記録処理部１６ｂは、その生成した管理用パスワードを貸出用記録媒体１０１のデータ記録保持部１１１に記録する処理を行なうとともに、上記預託数量抽出部１５により抽出した基本預託数量データ及び端数データの預託数量データと、ポイント数データとを、データ記録保持部１１１に記録する処理を行なう。
【００５６】
また、貸出用記録媒体記録処理部１６ｂは、預託数量抽出部１５により抽出した基本預託数量データ及び端数データの預託数量データと、ポイント数データとを、図１２に示すように貸出用記録媒体１０１のデータ表示部１１２に設けられた基本預託数量表示部１１２a、端数表示部１１２ｂ、及びポイント数表示部１１２ｃに、夫々、表示する処理を行なう。
【００５７】
認証情報登録処理部１７は、認証情報を遊戯客認証データベース１２ａに登録する処理を行なう。この実施形態では、認証情報登録処理部１７は、生体特徴読取処理部１１ａにより生体特徴部のデータを読み取って数値化し暗号化した認証情報と、遊戯客ＩＤと、認証用パスワードと、認証用記録媒体ＩＤとを、遊戯客認証データベース１２ａに、相互に関連付けて登録する処理を行なう。
【００５８】
又、認証情報登録処理部１７は、例えば認証用記録媒体１００が盗まれた等の被害情報の届出が遊戯客からあった場合には、その遊戯客の遊戯客ＩＤと関連付けて被害届出情報を遊戯客認証データベース１２ａに登録する処理を行なう。
【００５９】
通信制御部１３は、例えば貸出用記録媒体リーダー・ライター４、或いは店外持出時読取用の貸出用記録媒体リーダー５から、貸出用記録媒体１０１に記録された預託数量データ、管理用パスワード等のデータを受信する。
【００６０】
預託数量登録処理部１８は、遊戯客から預託されたパチンコ玉の預託数量を示す預託数量データを、預託データベース１２ｂに遊戯客ＩＤと関連づけて登録する処理を行なう。また、預託数量登録処理部１８は、遊戯客にポイントが付与されている場合は、預託データベース１２ｂにポイント数データと遊戯客ＩＤとを関連づけて登録する処理を行なう。
【００６１】
又、預託数量登録処理部１８は、貸出用記録媒体リーダー・ライター４、或いは店外持出時読取用の貸出用記録媒体リーダー５から受信した管理用パスワード、預託数量データ、及びポイント数データに基いて、預託データベース１２ｂに登録している預託数量データ及びポイント数データを更新する処理を行なう。
【００６２】
管理用パスワード登録処理部１９は、管理用パスワード生成部１６ａにより生成した管理用パスワードを、貸出用記録媒体管理データベース１２ｃに、遊戯客ＩＤ及び貸出用記録媒体１０１を発行した年月及び日時の情報と関連付けて登録する処理を行なう。
【００６３】
認証用記録媒体発行部１０は、預託数量登録処理部１８によって預託データベース１２ｂに登録している預託数量データ等を更新する処理を行なうと、認証用記録媒体１００を新たに発行する処理を行なう。
【００６４】
次に、遊戯媒体貸出装置２について説明する。
【００６５】
遊戯媒体貸出装置２は、遊戯客にパチンコ玉の貸し出しを行なう。この遊戯媒体貸出装置２は、この実施形態では、図１４Ａに示すようにパチンコ台本体１２１の側方に設置され、この遊戯媒体貸出装置２とパチンコ台本体１２１とにより遊戯装置としてのパチンコ台１２０を構成している。
【００６６】
この実施形態の遊戯媒体貸出装置２は、１０００円紙幣を入れる紙幣挿入部２１と、プリペイドカードを入れるプリペイドカード挿入部２２と、遊戯客が貸出用記録媒体１０１を用いてパチンコ玉の貸し出しを受ける際に遊戯客が操作を行なう貸出操作部２３と、貸出用記録媒体１０１によりパチンコ玉を貸し出す際の制御を行なう貸出制御部２００（図２に示す）とを備えており、現金（１０００円紙幣）、プリペイドカード、又は、貸出用記録媒体１０１のいずれを用いてもパチンコ玉を貸し出すことができるように構成されている。従って、この実施形態の遊戯媒体貸出装置２は、現金（１０００円紙幣）又はプリペイドカードを使用してパチンコ玉を貸し出す従来の装置に、上記貸出操作部２３及び上記貸出用記録媒体１０１が付設されたものである。
【００６７】
遊戯媒体貸出装置２の貸出操作部２３は、図１４Ｂに示すように、貸出用記録媒体１０１を入れる貸出用記録媒体挿入部２４と、貸出レート指定部２５と、貸出開始ボタン２６と、表示部２７と、返却ボタン２８とを備えている。
【００６８】
貸出レート指定部２５は、パチンコ玉を貸し出す際の貸出レートを指定する部分である。この実施形態では、貸出レート指定部２５は、４円指定部２５ａと、２円指定部２５ｂと、１円指定部２５ｃとから構成されている。
【００６９】
4円指定部２５ａは、パチンコ玉1個あたり4円の貸出レートに指定するためのもので、遊戯客によって4円指定部２５ａが押圧操作されると、その貸出レートでパチンコ玉を貸し出すように設定されるようになっている。２円指定部２５ｂは、押圧操作されると、パチンコ玉1個あたり２円の貸出レートでパチンコ玉を貸し出すように設定されるようになっている。同様に、１円指定部２５ｃは、遊戯客によって押圧操作されると、パチンコ玉1個あたり１円の貸出レートでパチンコ玉を貸し出すように設定されるようになっている。
【００７０】
貸出開始ボタン２６は、遊戯客によって押圧操作されると、パチンコ玉を１００個、貸し出す。具体的には、貸出操作部２６は、遊戯客によって1回押圧操作される毎に、パチンコ玉を１００個、遊戯媒体貸出装置２に設けられた玉案内筒１２２（図１４Ａに図示）からパチンコ台１２１に供給する。
【００７１】
表示部２７は、例えば現在の預託数量データに関する情報等を表示する。
【００７２】
返却ボタン２８は、貸出用記録媒体挿入部２４に入れた貸出用記録媒体１０１を出して遊戯客に返却するためのものである。
【００７３】
貸出制御部２００は、図２に示すように貸出用記録媒体判定部２０１と、記録読取部２０２と、貸出レート設定部２０３と、貸出レート記録・表示処理部２０４と、預託数量データ更新処理部２０５とを備えている。
【００７４】
貸出用記録媒体判定部２０１は、貸出用記録媒体挿入部２４に貸出用記録媒体１０１が挿入されたか否かを判定する。
【００７５】
記録読取部２０２は、貸出用記録媒体１０１に記録された預託数量データ等を読み取る。
【００７６】
貸出レート設定部２０３は、貸出レート指定部２５により指定された情報に基いて、貸出レートを設定する。
【００７７】
貸出レート記録・表示処理部２０４は、貸出レート設定部２０３によって設定した貸出レートを、貸出用記録媒体１０１のデータ記録保持部１１１に記録する処理を行なうとともに、貸出用記録媒体１０１のデータ表示部１１２に表示する処理を行なう。
【００７８】
預託数量データ更新処理部２０５は、パチンコ玉の貸し出しを行なった場合に、貸し出しを行なった後の預託数量を、設定した貸出レートに基いて算出し、貸出用記録媒体１０１のデータ表示部１１２に表示された預託数量データ及びデータ記録保持部１１１に記録された預託数量データを、上記算出した預託数量データに更新する処理を行なう。
【００７９】
又、この実施形態の遊戯媒体貸出装置２は、図１４Ｂに示すように、レートカードを発行するレートカード発行口２９ａを備えている。このレートカード発行口２９ａから発行されるレートカード（図示せず）は、後述の遊戯媒体計数装置３でパチンコ玉の計数する際に用いるものである。この実施形態のレートカードは、図示しないがデータ記録保持部と貸出レート表示部とを備えている。
【００８０】
この実施形態では、現金又はプリペイドカードによりパチンコ玉の貸し出しを行なった場合に、レートカード発行口２９ａの側方に設けられたレートカード発行ボタン２９ｂが遊戯客等に押圧操作されると、遊戯媒体貸出装置２は、パチンコ玉1個あたり4円の貸出レートをデータ記録保持部に記録するとともに、その貸出レートを貸出レート表示部に表示したレートカードを生成し、その生成したレートカードをレートカード発行口２９ａから発行する。
【００８１】
尚、この実施形態のレートカードのデータ記録保持部は、上述の貸出用記録媒体１０１のデータ記録保持部１１１と略同一の構成を採っている。
【００８２】
次に、遊戯媒体計数装置３について説明する。
【００８３】
遊戯媒体計数装置３は、図３に示すように、貸出用記録媒体１０１又はレートカード（図示せず）を挿入するカード挿入部３１と、パチンコ玉を投入する玉投入部３４と、計数部３２と、表示部３３と、シート発行ボタン３０と、換算制御部３００とを備えている。
【００８４】
計数部３２は、玉投入部３４に投入されたパチンコ玉の実際の個数を計数する。
【００８５】
表示部３３は、例えば計数部３２で計数した実際の個数等を表示する。
【００８６】
シート発行ボタン３０は、遊戯客等によって押圧操作されると、後述の数量表示シート発行部３６により数量表示シート１０２が発行される。
【００８７】
換算制御部３００は、カード判定部３０１と、記録読取部３０２と、数量換算部３０３と、数量表示シート発行部３０４とを備えている。
【００８８】
カード判定部３０１は、貸出用記録媒体１０１又はレートカードがカード挿入部３１に挿入されたか否かを判定する。
【００８９】
記録読取部３０２は、貸出用記録媒体１０１又はレートカードに記録された貸出レートを読み取る。
【００９０】
数量換算部３０３は、計数部３２により計数した実際の計数値と、貸出用記録媒体１０１又はレートカードから記録読取部３０２により読み取った貸出レートとに基いて、標準レート（１個あたり４円）に対応する数量に換算する。
【００９１】
数量表示シート発行部３０４は、数量換算部３０３により換算した数量データを表示した数量表示シート１０２を発行する。
【００９２】
次に、貸出用記録媒体リーダー・ライター４について説明する。
【００９３】
この実施形態の貸出用記録媒体リーダー・ライター４は、返却時読取用の貸出用記録媒体リーダーと貸出用記録媒体ライターとが一体的となって貸出用記録媒体１０１に対して記録を読み書きできるように構成されている。
【００９４】
この貸出用記録媒体リーダー・ライター４は、遊戯店の景品交換カウンター等に設置され、遊戯媒体預託管理支援装置１と専用線又は無線により通信可能に接続されている。そして、貸出用記録媒体リーダー・ライター４は、貸出用記録媒体ライターとして、例えば遊戯客がパチンコ遊戯を終えて貸出用記録媒体１０１を、数量表示シート１０２と共に返却してきた場合に、貸出用記録媒体１０１のデータ記録保持部１１１に記録された預託数量データを新たなデータに記録し直す。
【００９５】
又、貸出用記録媒体リーダー・ライター４は、返却時読取用の貸出用記録媒体リーダーとして、貸出用記録媒体１０１に記録された管理用パスワード、現在の預託数量データ、ポイント数データを接触又は非接触で読み取る。又、読み取った上記データを遊戯媒体預託管理支援装置１に送信する。
【００９６】
次に、店外持出時読取用の貸出用記録媒体リーダー５について説明する。この店外持出時読取用の貸出用記録媒体リーダー５は、例えば遊戯店の遊戯客出入り口に設置され、遊戯媒体預託管理支援装置１と専用線又は無線により通信可能に接続されている。そして、遊戯客が貸出用記録媒体１０１を持ったまま遊戯店の遊戯客出入り口を通過した場合に、店外持出時読取用の貸出用記録媒体リーダー５は、貸出用記録媒体１０１のデータ記録保持部１１１に記録された管理用パスワード、預託数量データ、ポイント数データ等を非接触で読み取る処理を行なうとともに、読み取った上記データを遊戯媒体預託管理支援装置１に送信する処理を行なう。
【００９７】
図４は、図１に示す遊戯システムに用いられる遊戯媒体預託管理支援装置１のハードウェア構成の一例を示す図面である。
【００９８】
遊戯媒体預託管理支援装置１は、記録装置であり本システムのプログラムを記録した記録媒体であるハードディスク５０、ハードディスク５０に記録されたプログラムを実行し制御する装置であるＣＰＵ５１、表示装置であるＣＲＴ５２、入力装置であるキーボード５４及びマウス５５、認証情報を入力するための認証情報入力部１１、貸出用記録媒体リーダー・ライター４及び店外持出時読取用の貸出用記録媒体リーダー５と通信するための通信インタフェース５３を備えている。
【００９９】
遊戯媒体預託管理支援装置１のハードディスク５０には、上記プログラムの他、各データベース１２を構成するデータが記録されている。すなわち、ハードディスク５０が図１の遊戯客認証データベース１２ａ、預託データベース１２ｂ、貸出用記録媒体管理データベース１２ｃに対応する。
【０１００】
また、遊戯媒体預託管理支援装置１のＣＰＵ５１が、図１の遊戯客認証部１４、預託数量抽出部１５、貸出用記録媒体発行部１６、認証情報登録処理部１７、預託数量登録処理部１８、管理用パスワード登録処理部１９、認証用記録媒体発行部１０に対応する。又、遊戯媒体預託管理支援装置１の通信インタフェース５３が、図１の通信制御部１３に対応する。
【０１０１】
図５Ａは、図２に示す遊戯システムに用いられる遊戯媒体貸出装置２のハードウェア構成の一例を示す図面、図５Ｂは、図３に示す遊戯システムに用いられる遊戯媒体計数装置３のハードウェア構成の一例を示す図面である。
【０１０２】
図５Ａに示す遊戯媒体貸出装置２は、紙幣挿入部２１、プリペイドカード挿入部２２、貸出用記録媒体挿入部２４、貸出レート指定部２５、貸出開始ボタン２６、返却ボタン２８、表示部２７、貸出用記録媒体１０１を用いてパチンコ玉を貸し出すプログラム等を記憶したメモリ２１１、メモリ２１１に記憶されたプログラム等を実行し制御するＣＰＵ２１０を備えている。
【０１０３】
図５Ａに示す遊戯媒体貸出装置２のＣＰＵ２１０が、図２の貸出制御部２００の貸出用記録媒体判定部２０１、記録読取部２０２、貸出レート設定部２０３、貸出レート記録・表示処理部２０４、貸出用記録媒体記録処理部２０５に対応する。
【０１０４】
図５Ｂの遊戯媒体計数装置３は、カード挿入部３１と、計数部３２と、表示部３３と、玉投入部３４と、シート発行ボタン３０と、計数したパチンコ玉を換算するためのプログラム等を記憶したメモリ３１１、メモリ３１１に記憶されたプログラム等を実行し制御するＣＰＵ３１０を備えている。
【０１０５】
図５Ｂに示す遊戯媒体計数装置３のＣＰＵ３１０が、図３の換算制御部３００のカード判定部３０１、記録読取部３０２、数量換算部３０３、数量表示シート発行部３０４に対応する。
【０１０６】
次に、本実施形態の動作について説明する。まず、遊戯客を認証するための認証情報を登録する場合について説明する。本実施形態では、認証情報を登録した遊戯客が本システムを利用することができるようになっている。従って、本システムを利用するには、予め認証情報を登録しておくことが必要である。この認証情報の登録は、例えば次のようにして行なうことができる。
【０１０７】
遊戯媒体預託管理支援装置１は、生体特徴読取処理部１１aによって、例えば遊戯客の人差し指の指紋のデータを読み取って数値化した認証情報を生成する。そして、その認証情報を暗号化したものを遊戯客認証データベース１２ａに、別途入力された遊戯客ＩＤ、認証用パスワード、認証用記録媒体ＩＤ、及び登録年月日の各情報と関連付けて登録する。上述の認証情報の遊戯客認証データベース１２ａへの登録が、図１の認証情報登録処理部１７に対応する。
【０１０８】
尚、この認証情報の登録に際し、預託数量データが預託データベース１２ｂに登録される。又、この認証情報の登録及び預託数量データの登録は、いつでも行なうことができる。例えば遊戯店に来てパチンコ遊戯を行なう前に、或いは、現金でパチンコ遊戯をした後においてパチンコ玉を保有しているときに行なうことができる。また、預託データベース１２ｂの預託数量データは、遊戯店に現金を支払うことによってその額に応じた数量分を加えたものにして登録することも可能である。又、その場合、その額に応じた数のポイントも付与される。
【０１０９】
一方、現金でパチンコ遊戯をした後においてパチンコ玉を保有しているときに上記登録を行なう場合は、その全部又は一部の数量を、その遊戯客の預託数量として預託データベース１２ｂに登録できる。
【０１１０】
次に、遊戯媒体預託管理支援装置１が遊戯客の認証を行なって貸出用記録媒体を発行するまでの動作について説明する。図６は、遊戯客の認証を行なって貸出用記録媒体を発行するまでの処理の流れを示すフローチャートである。
【０１１１】
まず、遊戯媒体預託管理支援装置１は、生体特徴読取処理部１１ａによって生体特徴部（指紋）のデータを読み取り数値化して認証情報を生成する（図６、ステップＳ１）。
【０１１２】
また、遊戯媒体預託管理支援装置１は、認証用記録媒体リーダー１１ｂによって認証用記録媒体に記録された遊戯客ＩＤ、認証用記録媒体ＩＤ，及び暗号化した認証情報を読み取って入力する（図６、ステップＳ１）。
【０１１３】
そして、遊戯媒体預託管理支援装置１は、生成して得た認証情報と、遊戯客認証データベース１２ａに暗号化して登録した認証情報を復号化したものとの比較を行ない、その生成した認証情報が遊戯客認証データベース１２ａに登録した認証情報に一致するものがあるか否かを判定する。又、認証用記録媒体１００から読み取って得た遊戯客ＩＤ、認証用記録媒体ＩＤ，及び暗号化した認証情報を復号化したものと、遊戯客認証データベース１２ａに登録した遊戯客ＩＤ、認証用記録媒体ＩＤ，及び暗号化した認証情報を復号化したものとが一致するか否かを判定する（図６、ステップＳ２）。
【０１１４】
上記ステップＳ２が、図１の遊戯客認証部１４に対応する。
【０１１５】
上記ステップＳ２において、生成して得た認証情報と認証用記録媒体１００から読み取って得た認証情報との一方又は両方が遊戯客認証データベース１２ａに登録したものと一致しないと判定した場合は、認証できない旨をＣＲＴ５２に表示する（図６、ステップＳ３）。
【０１１６】
一方、上記ステップＳ２において、生成して得た認証情報と認証用記録媒体から読み取って得た認証情報との両方が遊戯客認証データベース１２ａに登録したものと一致すると判定した場合は、その遊戯客ＩＤに対応する預託数量データ及びポイント数データを預託データベース１２ｂから抽出する（図６、ステップＳ４）。このステップＳ４が、図１の預託数量抽出部１５に対応する。
【０１１７】
次に、遊戯媒体預託管理支援装置１は、図９に示すような貸出用記録媒体１０１を生成し発行する（図６、ステップＳ５）。このステップＳ５が、図１の貸出用記録媒体発行部１６に対応する。この貸出用記録媒体１０１の発行は、次のようにして行なわれる。
【０１１８】
遊戯媒体預託管理支援装置１は、貸出用記録媒体１０１におけるデータ表示部１１２に、上記抽出した預託数量データ及びポイント数データを表示する処理を行なう。
【０１１９】
例えば預託データベース１２ｂに、該当する遊戯客の預託数量の基本預託数量データ及び端数データが、図１６に示すように７００個、３４個と夫々、登録されているとともに、ポイント数データが１０００と登録されている場合には、それらの記録を抽出し、そして、それらを、図９に示すように、貸出用記録媒体１０１におけるデータ表示部１１２に設けられた基本預託数量表示部１１２ａに７００、端数表示部１１２ｂに３４、ポイント数表示部１１２ｃに１０００を夫々，表示する処理を行なう。
【０１２０】
又、遊戯媒体預託管理支援装置１は、貸出用記録媒体１０１を管理するための管理用パスワードを生成する。この管理用パスワードを生成するステップが、図１の貸出用記録媒体発行部１６の管理用パスワード生成部１６ａに対応する。
【０１２１】
そして、遊戯媒体預託管理支援装置１は、生成した管理用パスワードを、貸出用記録媒体１０１のデータ記録保持部１１１に、使用許可情報として記録する処理を行なう。
【０１２２】
又、遊戯媒体預託管理支援装置１は、上記抽出した預託数量データ及びポイント数データを貸出用記録媒体１０１のデータ記録保持部１１１に記録する処理を行なう。
【０１２３】
上記貸出用記録媒体１０１へ表示する処理及び記録する処理のステップが、図１の貸出用記録媒体発行部１６の貸出用記録媒体記録処理部１６ｂに対応する。以上のようにして貸出用記録媒体１０１を発行する。
【０１２４】
また、遊戯媒体預託管理支援装置１は、上記生成した管理用パスワードを、貸出用記録媒体管理データベース１２ｃに、遊戯客ＩＤ、貸出用記録媒体発行年月日日時情報と関連付けて登録する（図６、ステップＳ６）。このステップＳ６が、図１の管理用パスワード登録処理部１９に対応する。
【０１２５】
次に、遊戯媒体貸出装置２が貸出用記録媒体によりパチンコ玉を貸し出す動作について説明する。図７は、貸出用記録媒体によりパチンコ玉を貸し出す処理の流れを示すフローチャートである。
【０１２６】
遊戯媒体貸出装置２は、貸出用記録媒体１０１が貸出用記録媒体挿入部２４に挿入されたか否かを判定する（図７、ステップＳ１１）。このステップＳ１１が、図２の貸出用記録媒体判定部２０１に対応する。
【０１２７】
ステップＳ１１において、貸出用記録媒体挿入部２４に貸出用記録媒体１０１を検出できず挿入されていないと判定した場合は、貸出用記録媒体１０１が貸出用記録媒体挿入部２４に挿入されるのを監視する。
【０１２８】
一方、ステップＳ１１において、貸出用記録媒体挿入部２４に貸出用記録媒体１０１を検出し挿入されたと判定した場合は、制御を次のステップＳ１２に移す。
【０１２９】
そして、遊戯媒体貸出装置２は、貸出用記録媒体１０１が挿入されたと判定した場合、貸出用記録媒体１０１に記録された管理用パスワードを使用許可情報として読み取るとともに、貸出用記録媒体１０１に記録された預託数量データを読み取る（図７、ステップＳ１２）。このステップＳ１２が、図２の記録読取部２０２に対応する。
【０１３０】
又、遊戯媒体貸出装置２は、レート指定部２５の４円指定部２５ａ、２円指定部２５ｂ、或いは１円指定部２５ｃが押圧操作されたか、又は、返却ボタン２８が押圧操作されたか否かを判定する（図７、ステップＳ１３）。
【０１３１】
上記ステップＳ１３において、返却ボタン２８が押圧操作されたと判定した場合は、貸出用記録媒体挿入部２４から貸出用記録媒体１０１を出す（図７、ステップＳ２２）。
【０１３２】
一方、上記ステップＳ１３において、レート指定部２５の４円指定部２５ａ、２円指定部２５ｂ、１円指定部２５ｃの内のいずれかが押圧操作されたと判定した場合は、その押圧操作されたものに表示のレートを、遊戯客により指定されて得たレート指定情報として、それに基いて貸出レートを設定する（図７、ステップＳ１４）。このステップＳ１４が、図２の貸出レート設定部２０３に対応する。
【０１３３】
その後、遊戯媒体貸出装置２は、設定した貸出レートを、貸出用記録媒体１０１の記録保持部１１１に記録するとともに、データ表示部１１２に表示する処理を行なう（図７、ステップＳ１５）。このステップＳ１５が、図２の貸出レート記録・表示処理部２０４に対応する。
【０１３４】
例えば４円指定部２５ａが押圧操作されたと判定し貸出レートを１個当たり４円に設定した場合は、貸出用記録媒体１０１の記録保持部１１１にその貸出レートを記録するとともに、図１３に示すように貸出用記録媒体１０１のデータ表示部１１２に設けられた貸出レート表示部１１２ｄに「４」を表示する処理を行なう。
【０１３５】
尚、この実施形態では、レート指定部２５の４円指定部２５ａ、２円指定部２５ｂ、１円指定部２５ｃの内のいずれか、例えば４円指定部２５ａが押圧操作された場合、貸出レートを変更するために、続けて他の２円指定部２５ｂ又は１円指定部２５ｃが押圧操作されても遊戯媒体貸出装置２は動作しないように構成されている。尚、貸出レートを変更する場合は、遊戯客がレート指定部２５のいずれかを押圧操作した後、返却ボタン２８を押圧操作して貸出用記録媒体１０１を一旦取り出し、再度、上記ステップＳ１１からステップＳ１３を経ることにより行なうことができる。
【０１３６】
次に、遊戯媒体貸出装置２は、貸出開始ボタン２６が押圧操作されたか、又は、返却ボタン２８が押圧操作されたか否かを判定する（図７、ステップＳ１６）。
【０１３７】
このステップＳ１６において、返却ボタン２８が押圧操作されたと判定した場合は、制御を上記ステップＳ２２に移す。
【０１３８】
一方、上記ステップＳ１６において、貸出開始ボタン２６が押圧操作されたと判定した場合は、上記設定した貸出レートの情報と、貸出開始ボタン２６が一回押圧操作されるに伴なって貸し出す数量データとに基いて、貸し出し後の標準レートでの預託数量を算出する（図８、ステップＳ１７）。
【０１３９】
例えば上記ステップＳ１４で、４円指定部２５ａが押圧操作されたと判定して１個当たり４円の貸出レートに設定した場合であって、貸出用記録媒体１０１に基本預託数量データが７００と記録されている場合には、そのデータ「７００」から、貸出開始ボタン２６が一回押圧操作されるに伴なって貸し出した数量値「１００」を減じることによって数量値「６００」を算出する。そして、貸し出し後の基本預託数量データとして「６００」を得る。
【０１４０】
そして、遊戯媒体貸出装置２は、算出した貸し出し後の基本預託数量データに基いて貸し出し許可できるか否か判定する（図８、ステップＳ１８）。具体的には、算出した貸し出し後の基本預託数量データが「０」以上か否か判定する。
【０１４１】
ステップＳ１８において、貸し出し後の基本預託数量データが「０」以上でなく、貸し出し許可できないと判定した場合は、表示部２７（図１４Ｂに図示）に、貸し出しできない旨を表示するとともに、返却ボタン２８の押圧操作を促す表示をする（図８、ステップＳ１９）。
【０１４２】
そして、遊戯媒体貸出装置２は、返却ボタン２８が押圧操作されたか否かを判定する（図８、ステップＳ２１）。このステップＳ２１において、返却ボタン２８が押圧操作されていないと判定した場合は、返却ボタン２８が押圧操作されるのを監視する。一方、ステップＳ２１において、返却ボタン２８が押圧操作されたと判定した場合は、制御を上記ステップＳ２２へ移す。
【０１４３】
又、上記ステップＳ１８において、貸し出し後の基本預託数量データが「０」以上であり、貸し出し許可できると判定した場合、遊戯媒体貸出装置２は、玉案内筒１２２（図１４Ａに図示）からパチンコ台１２１に供給するとともに、貸出用記録媒体１０１に記録されている預託数量データ及び表示されている預託数量データを更新する処理を行なう（図８、ステップＳ２０）。
【０１４４】
例えば上記ステップＳ１７において、貸し出し後の基本預託数量「６００」を算出した場合は、図１３に示すように貸出用記録媒体１０１に記録された基本預託数量を「６００」に更新するとともに、基本預託数量表示部１１２ａの表示を「６００」に更新する。
【０１４５】
又、この実施形態では、遊戯媒体貸出装置２は、図示しないが、表示部２７に、現在の預託数量に関する情報を表示する。例えば上記のように貸し出し後の基本預託数量データが「６００」になった場合、表示部２７に、例えば「標準レートで６００個補給できます。」のように表示する。
【０１４６】
尚、遊戯媒体貸出装置２の紙幣挿入部２１に１０００円紙幣が挿入され、或いは、プリペイドカード挿入部２２に、プリペイドカードが挿入された場合、遊戯媒体貸出装置２は、従来と同様な動作を行なう。即ち、遊戯媒体貸出装置２は、１０００円紙幣又はプリペイドカードが挿入された場合には、１０００円紙幣又はプリペイドカードが挿入されたと判定し、１個当たり４円の貸出レートでパチンコ玉を１０００円紙幣の額だけ、或いは、プリペイドカードに記録された額だけ適宜、貸し出す。
【０１４７】
又、１０００円紙幣、或いは、プリペイドカードで貸し出しを行なった場合、遊戯媒体貸出装置２は、遊戯客等によってレートカード発行ボタン２９ｂが押圧操作されると、レートカード発行口２９ａから、1個あたり４円の貸出レートをデータ記録保持部に記録するとともに、その貸出レートを貸出レート表示部に表示したレートカード（図示せず）を生成し発行する。
【０１４８】
また、この実施形態では、遊戯媒体貸出装置２は、貸出用記録媒体挿入部２４に貸出用記録媒体１０１が挿入された状態で、更に紙幣挿入部２１に１０００円紙幣が挿入されると、その１０００円紙幣の額分の数量を、貸出用記録媒体１０１の基本預託数量データに追加した更新処理をするように構成されている。
【０１４９】
例えば貸出用記録媒体１０１に記録されている基本預託数量データが「０」である場合、１０００円分の標準レートでの数量２５０を加算し、貸出用記録媒体１０１の基本預託数量データを加算後の「２５０」に記録し直すとともに、表示し直す処理を行なう。
【０１５０】
又、この実施形態では、貸出用記録媒体１０１が挿入された状態で、更に紙幣挿入部２１に１０００円紙幣が挿入されると、その１０００円紙幣の額に応じた数のポイントを、貸出用記録媒体１０１のポイント数データに追加して更新処理するように構成されている。
【０１５１】
次に、パチンコ台１２０での遊戯を終了する場合について説明する。
【０１５２】
遊戯を終了する際に、パチンコ台１２０で出したパチンコ玉がある場合は、パチンコ台１２０で出したパチンコ玉を、遊戯媒体計数装置３によって計数する。以下、遊戯媒体計数装置３によりパチンコ玉を計数する場合の動作について説明する。図９は、遊戯媒体計数装置３によりパチンコ玉を計数する場合の処理の流れを示すフローチャートである。
【０１５３】
遊戯媒体計数装置３は、カード挿入部３１に、貸出用記録媒体１０１又はレートカードが挿入されたか否かを判定する（図９、ステップＳ３１）。このステップＳ３１が、図３のカード判定部３０１に対応する。
【０１５４】
ステップＳ３１において、カード挿入部３１に、貸出用記録媒体１０１又はレートカードを検出できず挿入されていないと判定した場合は、カード挿入部３１に、貸出用記録媒体１０１又はレートカードが挿入されるのを監視する。
【０１５５】
一方、ステップＳ３１において、カード挿入部３１に、貸出用記録媒体１０１又はレートカードを検出し挿入されたと判定した場合は、制御を次のステップＳ３２に移す。
【０１５６】
そして、遊戯媒体計数装置３は、貸出用記録媒体１０１又はレートカードに記録された貸出レートを読み取る（図９、ステップＳ３２）。このステップＳ３２が、図３の記録読取部３０２に対応する。
【０１５７】
又、遊戯媒体計数装置３は、遊戯媒体投入部３４にパチンコ玉が入れられると、そのパチンコ玉の実際の個数を計数する（図９、ステップＳ３３）。
【０１５８】
そして、遊戯媒体計数装置３は、その計数値と上記貸出レートと標準レートとに基いて、標準レートの数量に換算する（図９、ステップＳ３４）。このステップＳ３４が、図３の数量換算部３０３に対応する。
【０１５９】
例えば計数値が６４２個、貸出レートが「４」円の場合は、計数値６４２個を、そのまま換算した数量として計上する。又、貸出レートが２円の場合は、６４２を２で割り算して３２１を算出することによって、標準レートの数量に換算する。
【０１６０】
そして、遊戯媒体計数装置３は、シート発行ボタン３０が押圧操作されたか否かを判定する（図９、ステップＳ３５）。
【０１６１】
このステップＳ３５において、シート発行ボタン３０が押圧操作されていないと判定した場合は、シート発行ボタン３０が押圧操作されるのを監視する。
【０１６２】
一方、上記ステップＳ３５において、シート発行ボタン３０が押圧操作されたと判定した場合は、換算した数量データ等を表示した数量表示シートを発行する（図９、ステップＳ３６）。このステップＳ３６が、図３の数量表示シート発行部３０４に対応する。
【０１６３】
以上のようにして、遊戯客は遊戯媒体計数装置３によって数量表示シートを得ると、その数量表示シートに表示されたパチンコ玉の数量の全部又は一部を、従来と同様に景品に交換することができる。又、その全部又は一部を預託することもできる。
【０１６４】
その全部又は一部を預託する場合は、その全部又は一部の数量と、貸出用記録媒体１０１に表示されている預託数量とを合計した合計数量のデータが、例えば遊戯店員の操作によって、貸出用記録媒体リーダー・ライター４に入力されると、貸出用記録媒体リーダー・ライター４は、貸出用記録媒体１０１の預託数量データを、その入力された上記合計数量データに記録し表示し直す。
【０１６５】
尚、この実施形態では、再度、パチンコ遊戯を続行することを希望する遊戯客は、この時点で貸出用記録媒体１０１を受け取って、貸出用記録媒体１０１に記録された預託数量に基いてパチンコ遊戯を続行することができるようにされている。
【０１６６】
次に、貸出用記録媒体１０１に記録された預託数量データに基いて、遊戯媒体預託管理支援装置１の預託データベース１２ｂの預託数量データの記録を更新する処理について説明する。図１０は、貸出用記録媒体１０１の預託数量データに基いて、遊戯媒体預託管理支援装置１の預託データベース１２ｂの預託数量の記録を更新する処理の流れを示すフローチャートである。
【０１６７】
貸出用記録媒体リーダー・ライター４は、例えば遊戯店員の操作によって、貸出用記録媒体１０１に記録し直された預託数量データを読み取るとともに、貸出用記録媒体１０１に記録された管理用パスワードを読み取る（図１０、ステップＳ４１）。
【０１６８】
又、貸出用記録媒体リーダー・ライター４は、その読み取った預託数量データ及び管理用パスワードを、遊戯媒体預託管理支援装置１に送信する（図１０、ステップＳ４２）。
【０１６９】
遊戯媒体預託管理支援装置１は、受信した管理用パスワードに基いて、貸出用記録媒体管理データベース１２ｃから、管理用パスワードに対応する遊戯客ＩＤを抽出する（図１０、ステップＳ４３）。又、図示しないが、遊戯媒体預託管理支援装置１は、その管理用パスワードを無効とする処理を行なう。従って、この時点で当該貸出用記録媒体１０１は、失効する。
【０１７０】
そして、遊戯媒体預託管理支援装置１は、該当する遊戯客ＩＤに対応する預託データベース１２ｂの預託数量データの記録を、貸出用記録媒体リーダー・ライター４から受信した預託数量データに更新する処理を行なう（図１０、ステップＳ４４）。このステップＳ４３及びステップＳ４４が、図１の預託数量登録処理部１８に対応する。
【０１７１】
又、遊戯媒体預託管理支援装置１は、認証用記録媒体１００を新たに発行する（図１０、ステップＳ４５）。この認証用記録媒体１００の発行は、遊戯媒体預託管理支援装置１によって、次のようにして行なわれる。
【０１７２】
遊戯媒体預託管理支援装置１は、抽出した遊戯客ＩＤに基いて、遊戯客認証データベース１２ａから、遊戯客ＩＤに対応する暗号化した認証情報を抽出する。又、遊戯媒体預託管理支援装置１は、新たに認証用記録媒体ＩＤを生成する。そして、新たに生成した認証用記録媒体ＩＤと、遊戯客ＩＤと、暗号化した認証情報とを記録した認証用記録媒体１００を生成し発行する。又、遊戯媒体預託管理支援装置１は、遊戯客認証データベース１２ａの認証用記録媒体ＩＤを，新たに生成したものに記録し直す。
【０１７３】
新たに発行された認証用記録媒体は、退店する遊戯客に渡される。そして、この認証用記録媒体は、次回の来店時の遊戯客の認証に際して使用される。
【０１７４】
このように、退店時に渡す認証用記録媒体を、上述の来店時の認証の際に預かった認証用記録媒体とは別に新たに発行することにより、来店時の認証の際に預かった認証用記録媒体を遊戯店員等の人が管理する必要がなくなり、人件費を軽減できる。
【０１７５】
ただし、退店時に渡す認証用記録媒体を新たに発行するのではなく、来店時の認証の際に預かった認証用記録媒体をそのまま退店時に渡すようにしても良く、適宜変更できる。
【０１７６】
次に、パチンコ台１２０での遊戯を終えた場合において、パチンコ玉が残っていない場合について説明する。
【０１７７】
この場合は、図１０に示した上記ステップＳ４１〜ステップＳ４４と同じステップを経る。
【０１７８】
即ち、貸出用記録媒体リーダー・ライター４は、遊戯媒体貸出装置２によって貸出用記録媒体１０１に記録された預託数量データを読み取るとともに、貸出用記録媒体１０１に記録された管理用パスワードを読み取って遊戯媒体預託管理支援装置１に送信する。
【０１７９】
遊戯媒体預託管理支援装置１は、貸出用記録媒体管理データベース１２ｃから、受信した管理用パスワードに対応する遊戯客ＩＤを抽出するとともに、管理用パスワードを無効とする処理を行なう。そして、抽出した遊戯客ＩＤに対応する預託データベース１２ｂの預託数量データの記録を、上記受信した預託数量データに更新する処理を行なうとともに、認証用記録媒体１００を新たに発行する。
【０１８０】
又、上記の場合において、上記ステップＳ４１〜ステップＳ４４を経ることなく、遊戯媒体貸出装置２から出した貸出用記録媒体１０１を遊戯客が持って退店すると、店外持出時読取用の貸出用記録媒体リーダー５が、遊戯客出入り口の通過に際し、貸出用記録媒体１０１に記録された預託数量データ、管理用パスワード、貸出レートを非接触で読み取って遊戯媒体預託管理支援装置１に送信する。
【０１８１】
そして、遊戯媒体預託管理支援装置１は、貸出用記録媒体管理データベース１２ｃから、受信した管理用パスワードに対応する遊戯客ＩＤを抽出するとともに、管理用パスワードを無効とする処理を行なう。そして、抽出した遊戯客ＩＤに基いて、預託データベース１２ｂの預託数量データの記録を、上記受信した預託数量データに更新する処理を行なう。
【０１８２】
これにより、例えば貸出用記録媒体１０１に記録された遊戯後の最新の預託数量データと、遊戯媒体預託管理支援装置１の預託データベース１２ｂに登録されている預託数量データとが相違している場合に、遊戯客が遊戯店を出てしまっても、遊戯媒体預託管理支援装置１の預託データベース１２ｂに登録されている預託数量データを、遊戯後の最新のものに更新できる。
【０１８３】
従って、例えば遊戯客が預託数量の減少分を意図的に隠そうとして退店し、或いは、遊戯客が貸出用記録媒体１０１を持っていることを忘れてそのまま退店してしまったような場合でも、預託データベース１２ｂの預託数量データを遊戯後のものに確実に更新できる。
【０１８４】
尚、上記実施形態では、貸出用記録媒体１０１に記録された預託数量データに基いて、遊戯媒体貸出装置２が遊戯媒体を貸し出すとともに、遊戯後の貸出用記録媒体１０１に記録された預託数量データに基いて遊戯媒体預託管理支援装置１の預託データベースの預託数量のデータを更新するようにしているが、この形態のものに限らず、適宜変更できる。例えば、次のように構成しても良い。
【０１８５】
即ち、例えば遊戯媒体預託管理支援装置１と遊戯媒体貸出装置２とを通信可能に接続する。又、遊戯媒体預託管理支援装置１は、貸出用記録媒体１０１に、例えば遊戯媒体貸出装置２の使用許可を示す使用許可情報として遊戯客ＩＤを記録する。そして、遊戯媒体貸出装置２は、貸出用記録媒体１０１から遊戯客ＩＤの記録を読み取り、使用許可情報としての遊戯客ＩＤが記録されていると判定した場合に、貸出開始操作部としての貸出開始ボタン２６が押圧操作されると、貸出用記録媒体１０１から読み取った遊戯客ＩＤを含む貸出問合情報を遊戯媒体預託管理支援装置１に送信する。
【０１８６】
受信した遊戯媒体預託管理支援装置１は、その受信した遊戯客ＩＤに対応する預託データベース１２bの預託数量データと、貸出開始ボタン２６の一回の押圧操作による貸出数量とを比較し、預託データベース１２bの預託数量がその貸出数量よりも大きいと判定した場合は、貸出の許可回答を示す貸出許可回答情報を遊戯媒体貸出装置２に送信する。一方、大きくないと判定した場合は、貸出の不許可回答を示す貸出不許可情報を遊戯媒体貸出装置２に送信する。
【０１８７】
遊戯媒体貸出装置２は、貸出不許可回答情報を受信した場合は、例えば貸出できない旨を表示部３３に表示する。一方、貸出許可回答情報を受信した場合は、パチンコ玉を供給する。又、遊戯媒体貸出装置２は、パチンコ玉を供給した場合に、供給した数量のデータを、遊戯客ＩＤとともに、その都度、遊戯媒体預託管理支援装置１に送信する。
【０１８８】
受信した遊戯媒体預託管理支援装置１は、その受信した数量のデータ及び遊戯客ＩＤに基いて、遊戯客ＩＤに対応する預託データベース１２bの預託数量データを、その都度更新する。尚、上記の場合において、この遊戯客ＩＤに替えて管理用パスワードを記録しても良い。
【０１８９】
又、上記実施形態では、バイオメトリックス認証と、認証用記録媒体による認証との両方により行なっているが、それら両方により行なう形態のものに限らず、適宜変更でき、バイオメトリックス認証と、認証用記録媒体による認証とのいずれか一方により行なうようにしても良い。
【０１９０】
ただし、例えば指紋によるバイオメトリックス認証だけにすると、怪我等によって指紋を採取し難いような場合には認証を行ない難くなる。又、認証用記録媒体による認証だけにすると、例えば認証用記録媒体が盗まれたような場合には、その遊戯客になりすまされてしまう恐れがある。従って、上記実施形態のようにバイオメトリックス認証と認証用記録媒体による認証との両方により行なうのが、より好ましい。
【０１９１】
また、認証は、上記方法によるものに限らず、例えば遊戯客認証データベース１２ａに遊戯客ＩＤと関連付けて登録したパスワードを認証情報とし、認証に際して遊戯客がパスワードを入力するようにしても良い。
【０１９２】
また、上記実施形態では、遊戯媒体預託管理支援装置１は、預託数量データを記録等した貸出用記録媒体１０１を発行するようにしているが、この形態のものに限らず、例えばデータ記録保持部１１１及びデータ表示部１１２を有する貸出用記録媒体１０１を、予め遊戯媒体預託管理支援装置１とは別な装置で製作しておき、その製作した貸出用記録媒体１０１に、遊戯媒体預託管理支援装置１が、預託データベース１２ｂから抽出した預託数量を記録し、又は、預託数量を記録するとともに表示する処理を行なうようにしても良い。
【０１９３】
又、上記実施形態では、遊戯媒体貸出装置は、現金（１０００円紙幣）、プリペイドカード、又は、貸出用記録媒体１０１のいずれを用いてもパチンコ玉を貸し出すことができるように構成されているが、例えば貸出用記録媒体１０１を用いてパチンコ玉を貸し出す専用の装置でも良い。
【０１９４】
また、上記実施形態では、遊戯媒体貸出装置２は、パチンコ台本体１２１の側方に設置されてパチンコ台本体１２１とにより1台の遊戯装置をなすように構成されているが、例えば遊戯媒体貸出装置２を、パチンコ台本体１２１とは別に独立して設置するようにしても良い。
【０１９５】
又、上記実施形態では、遊戯媒体貸出装置２は、遊戯媒体を貸し出す際の貸出レートを指定できるように設定されているが、一定の貸出レートで貸し出すようにしても良い。
【０１９６】
又、貸出レートを指定できるようにする場合において、上記実施形態では、予め定めた複数の貸出レートの内から遊戯客が選択することによって指定しその指定したレート指定情報に基いて遊戯媒体貸出装置２が貸出レートを設定するようにしているが、この形態のものに限らず、適宜変更できる。例えばパチンコ玉１個当たりの貸出レートを遊戯客が任意に入力することによって指定しその指定したレート指定情報に基いて遊戯媒体貸出装置２が貸出レートを設定するようにしても良い。
【０１９７】
また、貸出レートは、パチンコ玉１個当たりのレートに設定するものに限らず、例えば１００円で１００個、５０個、或いは２５個のように設定するようにしても良い。
【０１９８】
また、上記実施形態では、遊戯媒体貸出装置２は、貸出開始ボタン２６が一回押圧操作されるに伴なってパチンコ玉を１００個、貸し出すようにしているが、この形態のものに限らず、適宜変更し得る。例えば貸出開始ボタン２６が一回押圧操作されるに伴なって貸し出す数量を、５０個、１５０個、２００個のように適宜な数に設定できる。或いは、遊戯客が遊戯媒体貸出装置２に数量値を入力することにより指定し、貸出開始ボタン２６を一回押圧操作されると、その遊戯客の指定した数量だけ、貸し出すようにしても良い。
【０１９９】
又、遊戯媒体計数装置３は、貸出用記録媒体１０１に記録された預託数量を読み取るとともに、新たな数量データに更新する更新処理部を備えたものとしても良い。そして、例えば遊戯媒体計数装置３の更新処理部によって、貸出用記録媒体１０１に記録された預託数量データを読み取ってその読み取った預託数量と、計数した数量の全部又は一部の数量との合計数量を算出し、その算出した合計数量のデータを預託数量データとして貸出用記録媒体１０１に記録更新処理を行なう。
【０２００】
こうすることにより、その後、貸出用記録媒体１０１に記録し直された預託数量データを、貸出用記録媒体リーダーで読取り入力して遊戯媒体預託管理支援装置１に送信できる。よって、貸出用記録媒体ライターによる貸出用記録媒体１０１の預託数量の記録更新処理を省くことができ、使用便利なものにできる。
【０２０１】
又、遊戯媒体計数装置３と、遊戯媒体預託管理支援装置１とを通信可能に接続したものとしても良い。そして、例えば遊戯媒体計数装置３は、貸出用記録媒体１０１に記録された預託数量データを読み取ってその読み取った預託数量データと、計数した数量の全部又は一部の数量データとの合計数量データを、貸出用記録媒体１０１から読み取った管理用パスワードと共に遊戯媒体預託管理支援装置１に送信する。受信した遊戯媒体預託管理支援装置１は、受信した管理用パスワードと合計数量データとに基いて該当する遊戯客に対応する預託出１２ｂの預託数量データを更新処理するようにしても良い。
【０２０２】
これにより、遊戯媒体計数装置３で計数後にパチンコ玉を預託する場合、貸出用記録媒体ライター及び貸出用記録媒体リーダーを用いずに、預託データベース１２ｂの預託数量データを、より簡単に更新できる。
【０２０３】
又、上記実施形態では、貸出用記録媒体１０１に、貸出用記録媒体管理データベース１２ｃに遊戯客ＩＤと関連付けて登録された使い捨ての貸出用記録媒体特定情報としての使い捨ての管理用パスワードを記録し、その管理用パスワードから遊戯客ＩＤを抽出できるようにしている。換言すれば、貸出用記録媒体１０１に、貸出用記録媒体管理データベース１２ｃに遊戯客ＩＤと関連付けて登録された貸出用記録媒体特定情報を介して遊戯客ＩＤを間接的に記録している。しかし、この形態のものに限らず、例えば貸出用記録媒体１０１に遊戯客ＩＤを単独、又は、使い捨ての管理用パスワードと共に、直接記録するようにしても良く、適宜変更できる。
【０２０４】
ただし、上記実施形態のように、遊戯客から返却されてきた貸出用記録媒体１０１を無効処分にする場合、遊戯客ＩＤだけを単独で記録しておくと、貸出用記録媒体１０１が無効になった場合でも無効か否かの区別が困難になって貸出用記録媒体１０１を管理し難くなる恐れが生じるため、貸出用記録媒体１０１に使い捨ての管理用パスワードを記録しておくのが好ましい。
【０２０５】
又、本遊戯システムは、パチンコ台を使用した遊戯に限らず、例えばスロットマシーンを使用した遊戯等に適応できる。又、スロットマシーンを使用した遊戯の場合における遊戯媒体はメダルが該当する。
【０２０６】
又、上記実施形態の遊戯媒体預託管理支援装置１、その遊戯媒体預託管理支援装置１として機能させるプログラム、又はプログラムを記録した記録媒体は、次のように把握することもできる。
【０２０７】
即ち、遊戯媒体預託管理支援装置１は、遊戯の用に供する遊戯媒体であって遊戯客から預託されたものの管理を支援する遊戯媒体預託管理支援装置であって、遊戯客の認証を行なうための認証情報と遊戯客識別情報とを関連付けて登録した遊戯客認証データベースと、  遊戯客から預託された遊戯媒体の数量を示す預託数量データと遊戯客識別情報とを関連付けて登録した預託データベースと、を備え、遊戯客から得た認証情報と遊戯客認証データベースとに基いて遊戯客の認証を行ない、遊戯客認証データベースに登録された遊戯客であると判定した場合に、上記預託データベースから、その遊戯客に対応する預託数量データを抽出し、その抽出した預託数量データを貸出用記録媒体に記録するとともに、上記貸出用記録媒体に、遊戯客識別情報を直接、又は間接的に記録し、この遊戯媒体預託管理支援装置と通信可能な貸出用記録媒体リーダーであって、上記貸出用記録媒体に直接又は間接的に記録された上記遊戯客識別情報、及び、遊戯媒体の貸し出しを行なう遊戯媒体貸出装置により遊戯媒体を貸し出した後にその遊戯媒体貸出装置により貸出用記録媒体に記録し直された預託数量データを読み取った貸出用記録媒体リーダーからのデータの受信により遊戯客識別情報及び預託数量データを得、その得た遊戯客識別情報及び預託数量データに基いて、預託データベースの預託数量データの記録を更新するものであることを特徴とするものである。
【０２０８】
又、この実施形態においては、ハードディスクにインストールされた本システムのプログラムを実行するようにしているが、プログラムの保持形態はこれらに限定されるものではない。たとえば、本システムのプログラムを、ＣＤ−ＲＯＭ、フレキシブルディスク、磁気テープ等に記録するようにしてもよい。
【０２０９】
さらに、有線や無線の通信回線を介して本システムのプログラムを配信するようにしてもよい。また、本システムのプログラムをメインのサーバコンピュータにインストールしておき、たとえばインターネットなどの通信回線を介してローカルのサーバコンピュータに本システムのプログラムを実行させるようにしてもよい。
【０２１０】
また、プログラムやデータの記録態様は特に限定されるものではない。直接実行できる形で記録媒体に記録されている場合の他、たとえば、解凍して使用するように圧縮された形で記録媒体に記録されていてもよい。
【０２１１】
又、上述の実施形態においては、コンピュータを用いて図１の各機能を実現する場合を例に説明したが、図１の機能の一部をハードウェアロジックを用いて構成するようにしてもよい。
【図面の簡単な説明】
【０２１２】
【図１】この発明の一実施の形態の遊戯システムに用いる遊戯媒体預託管理支援装置、貸出用記録媒体リーダー・ライター、及び店外持出時読取用の貸出用記録媒体リーダーの構成を説明するためのブロック図である。
【図２】この発明の一実施の形態の遊戯システムに用いる遊戯媒体貸出装置の構成を説明するためのブロック図である。
【図３】この発明の一実施の形態の遊戯システムに用いる遊戯媒体計数装置の構成を説明するためのブロック図である。
【図４】遊戯媒体預託管理支援装置のハードウェア構成の一例を示すブロック図である。
【図５】図５Ａは、遊戯媒体貸出装置のハードウェア構成を説明するためのブロック図、図５Bは、遊戯媒体計数装置のハードウェア構成を説明するためのブロック図である。
【図６】遊戯媒体預託管理支援装置による遊戯客の認証の処理の流れを示すフローチャートである。
【図７】貸出用記録媒体を用いた遊戯媒体貸出装置によるパチンコ玉の貸し出しの処理の流れを示すフローチャートの一部である。
【図８】貸出用記録媒体を用いた遊戯媒体貸出装置によるパチンコ玉の貸し出しの処理の流れを示すフローチャートの他の一部である。
【図９】遊戯媒体計数装置によるパチンコ玉の計数の処理の流れを示すフローチャートである。
【図１０】貸出用記録媒体の記録に基づいて、預託データベースの預託数量データを更新する場合の処理の流れを示すフローチャートである。
【図１１】認証用記録媒体の一実施形態の正面図である。
【図１２】貸出用記録媒体の一実施形態の正面図である。
【図１３】遊戯媒体貸出装置によって貸出レート表示部に貸出レートの表示処理が行なわれた状態の貸出用記録媒体の正面図である。
【図１４】図１４Ａは、遊戯媒体貸出装置を備えたパチンコ台の一実施形態の正面図、図１４Ｂは、遊戯媒体貸出装置の拡大正面図である。
【図１５】遊戯客認証データベースのデータ構造を模式的に表わした図面である。
【図１６】預託データベースのデータ構造を模式的に表わした図面である。
【図１７】貸出用記録媒体管理データベースのデータ構造を模式的に表わした図面である。
【図１８】この発明の一実施の形態の遊戯システム全体の概略面である。
【符号の説明】
【０２１３】
１    遊戯媒体預託管理支援装置
２    遊戯媒体貸出装置
３    遊戯媒体計数装置
４    貸出用記録媒体リーダー・ライター
５    店外持出時読取用の貸出用記録媒体リーダー
１２ａ    遊戯客認証データベース
１２ｂ    預託データベース
１２ｃ    貸出用記録媒体管理データベース
１００    認証用記録媒体
１０１    貸出用記録媒体
特許出願人  ファインフーズ株式会社
出願人代理人  弁理士  田川  幸一
【図１】
2007144025.tif 000003
【図２】
2007144025.tif 000004
【図３】
2007144025.tif 000005
【図４】
2007144025.tif 000006
【図５】
2007144025.tif 000007
【図６】
2007144025.tif 000008
【図７】
2007144025.tif 000009
【図８】
2007144025.tif 000010
【図９】
2007144025.tif 000011
【図１０】
2007144025.tif 000012
【図１１】
2007144025.tif 000013
【図１２】
2007144025.tif 000014
【図１３】
2007144025.tif 000015
【図１４】
2007144025.tif 000016
【図１５】
2007144025.tif 000017
【図１６】
2007144025.tif 000018
【図１７】
2007144025.tif 000019
【図１８】
2007144025.tif 000020